(57)【要約】【課題】下方に向かってトンネルを掘削する掘削機において、掘削ズリを上方に向かって能率よく確実に排出することができる排出機構を提供する。【解決手段】カッタヘッド２によって掘削されたズリを吸込管６によって所定高さ上方に配設しているタンク４内に水と共に排出し、掘削ズリをタンク４内の下端部に配設している破砕装置５にまで沈降させて細かく破砕したのち、水と共に排出管１３ａ  を通じて上方に排出する一方、タンク４から水をオーバフローさせてカッタヘッド２の背面側に戻し、上記排出管１３ａ  からの排出量を調整することによってカッタヘッド２の背面側の水位を一定高さに保持しながら掘削する。【選択図】    図２
2004169278.tif 000002
【特許請求の範囲】
【請求項１】
前面に回転自在に配設しているカッタヘッドを下方に向けてトンネルを掘削する掘削機における掘削ズリの排出機構であって、上記カッタヘッドの背面側の掘削ズリを上方に向かって吸い込む吸引部と、この吸引部を通じて吸い込んだ掘削ズリを受け入れると共にその下部に掘削ズリの破砕部を設けているタンクと、破砕部により破砕された掘削ズリを上方に排出する排出部とからなることを特徴とする掘削ズリの排出機構。
【請求項２】
吸引部は水と共に掘削ズリを吸い込む吸込管からなり、排出部は破砕された掘削ズリを圧送ポンプによって水と共に上方に排出する排出管から構成していることを特徴とする請求項１に記載の掘削ズリの排出機構。
【請求項３】
前面に回転自在に配設しているカッタヘッドを下方に向け且つ該カッタヘッドの背面側に湛水した状態で下方に向かってトンネルを掘削する掘削機における掘削ズリの排出機構であって、カッタヘッド背面側の掘削ズリを水と共に上方に吸い込む吸込管と、この吸込管を通じて吸い込んだ掘削ズリと水とを受入れ、且つ、受け入れた水をオーバフローによりカッタヘッドの背面側に戻すように構成しているタンクと、このタンクの下部内の掘削ズリを排出管を通じて水と共に上方に排出し、且つ、カッタヘッド背面側の水位が所定高さとなるように排出量を調整可能にした圧送ポンプとからなることを特徴とする掘削ズリの排出機構。
【請求項４】
前面に回転自在に配設しているカッタヘッドを下方に向け且つ該カッタヘッドの背面側に湛水した状態で下方に向かってトンネルを掘削する掘削機における掘削ズリの排出機構であって、カッタヘッド背面側の掘削ズリを水と共に上方に吸い込む吸込管と、この吸込管を通じて吸い込んだ掘削ズリと水とを受入れ且つ受け入れた水をオーバフローによりカッタヘッドの背面側に戻すように構成しているタンクと、このタンクの下部内の掘削ズリを排出管を通じて水と共に上方に排出する圧送ポンプと、カッタヘッドの背後に設けられてカッタヘッドの背面側に湛水している水を汲み上げる汲み上げポンプとを備え、上記タンクからオーバフローによりカッタヘッド背面側へ戻る水量が上記吸込管による掘削ズリと水との吸い込み量より多くなるように上記圧送ポンプの排出量を設定しておき、カッタヘッド背面側の水位が所定高さを越えたときに上記汲み上げポンプを作動させるように構成していることを特徴とする掘削ズリの排出機構。
【請求項５】
タンクの下部に掘削ズリの破砕部を設け、破砕された掘削ズリを水と共に圧送ポンプにより上方に排出するように構成していることを特徴とする請求項３又は請求項４に記載の掘削ズリの排出機構。
【発明の詳細な説明】
【０００１】
【発明の属する技術分野】
本発明は地上から所定深さまで下方に向かってトンネルを掘削する掘削機において、掘削ズリを効率よく上方に排出するための掘削ズリの排出機構に関するものである。
【０００２】
【従来の技術】
従来から、前面にカッタヘッドを有するトンネル掘削機を下向きにして立坑や斜坑等のトンネルを掘削する場合、上方に向かってトンネルを掘削する場合に比べて地中にトンネル掘削機発進用の水平坑を設ける必要はないという大きな利点を有しているが、掘削した岩片であるズリを坑外に排出する際に、上方に向かってトンネルを掘削する方法においてはズリを自然落下させることによって円滑に排出することができるが、下方に向かってのトンネル掘削ではズリを上方に向かって強制的に排出しなければならないという問題点があり、このため、ズリの排出が下方に向かってトンネルを掘削する上において大きな課題となっている。
【０００３】
一般に、掘削ズリを上方に排出する手段としては、ポンプの作動により管路を通じて圧送、又は吸引する流体輸送方式、或いは、ズリ受け用桟付きのベルトコンベアやバケットコンベア、カプセル輸送等の機械輸送方式が広く知られているが、これらの輸送方式を、下方に向かってトンネルを掘削するトンネル掘削機におけるカッタヘッドの背面側に取り込まれた掘削ズリを上方に排出するために適用しようとすると、次のように問題点があり、単一の方式のみでは上方への排出が困難である。
【０００４】
即ち、ポンプ圧送方式では、通常インペラによる圧送方式であるため、カッタヘッドのローラカッタによって掘削された掘削ズリが小径であれば長距離輸送が可能となるが、比較的大径の片状掘削ズリの場合には管路が詰まって輸送することができないという問題点があり、ポンプ吸引方式では、管路が詰まることはないが、長距離輸送を行うためには送風量を大きくする必要があり、ブロア設備として非常に大規模なものとなり、その上、水中輸送として使用するには限界がある。
【０００５】
一方、ベルトコンベアやバケットコンベアによる輸送方式によれば、カッタヘッド背後に貯留されている掘削ズリの取り込み率が悪く、また、掘削ズリが硬くて表面が鋭角な形状となっているために、コンベアが短期間で損傷する虞れがある。また、カプセル輸送方式ではカプセル内に掘削ズリを積み込む手段をカッタヘッド背後の空間部に設ける必要があり、実質上、実施することが困難である。
【０００６】
このため、カッタヘッド背面側に隔室を設けて該隔室内に取り込まれた掘削ズリを上方に排出する機構として、まず、吸引ポンプの一種であるジェットポンプにより上記隔室内の掘削ズリを吸引した後、排泥ポンプにより上方に排出するように構成した排出機構が知られている（例えば、特許文献１参照）。
【０００７】
【特許文献１】
特開平１１−１８２１８２号公報（第３〜５頁、第１図）。
【０００８】
そして、このズリ排出機構においては、上記ジェットポンプの作動には多量の噴出水が必要であることから、排泥ポンプに至るまでの管路中に分流器を設けてこの分流器内に掘削ズリと共に流入した水の一部を該分流器から戻しポンプによって上記隔室内に戻すように構成している。また、隔室から分流器に至る間の管路中、即ち、分流器の上流側に掘削ズリの破砕機を配設していると共に、上記隔室内の水位を別系統で設けている送水ポンプからの給水量によって制御するように構成している。従って、このズリ排出機構によれば、ジェットポンプの作動に使用する多量の噴流水として、掘削ズリと共に隔壁内から排出される水を使用することができるので、別系統を通じて供給する水量が少なくて済むと共に、隔室内に水の流れを発生させて排土効率を向上させることができるという利点を有している。
【０００９】
【発明が解決しようとする課題】
しかしながら、上記ズリ排出機構は、隔室内の水位の調整を、別系統の管路中に配設した送水ポンプからの給水量を制御することによって行なっているため、例えば、湧水のように外部から隔室内に多量の水が浸入した場合には、送水ポンプや戻しポンプを停止させても水位の調整ができなくなる。そのため、送水ポンプで水位の調整ができない場合には、戻しポンプと排泥ポンプとの双方の複雑な制御が必要となる。
【００１０】
また、ジェットポンプの作動に使用する多量の噴流水として、掘削ズリと共に隔壁内から排出される泥水を使用しているため、ポンプの目詰まりが生じて流速の低下を招き、隔室内からの掘削ズリの吸引力が低下することになる。さらに、掘削ズリの破砕機を分流器の上流側に配設しているため、分流器から取り出した隔室への戻り水に掘削ズリの一部である土粒子が多量に含まれており、排土効率が悪いといった問題点がある。
【００１１】
本発明は上記のような問題点に鑑みてなされたもので、その目的とするところは、ポンプや管路内が目詰まりすることなく掘削ズリを効率よく排出し得るようにすると共に小規模の搬送設備でもって地上への排出を可能にし、また、カッタヘッドの背面側に湛水しながら掘削する場合においては、湧水等が発生してもその水位を掘削ズリを吸引するのに最適な水位に調整、維持し得るようにした掘削ズリの排出機構を提供するにある。
【００１２】
【課題を解決するための手段】
上記目的を達成するために本発明の請求項１に記載の掘削ズリの排出機構は、前面に回転自在に配設しているカッタヘッドを下方に向けてトンネルを掘削する掘削機における掘削ズリの排出機構であって、上記カッタヘッドの背面側の掘削ズリを上方に向かって吸い込む吸引部と、この吸引部を通じて吸い込んだ掘削ズリを受け入れると共にその下部に掘削ズリの破砕部を設けているタンクと、破砕部により破砕された掘削ズリを上方に排出する排出部とから構成していることを特徴とする。
【００１３】
このように構成した掘削ズリの排出機構において、請求項２に係る発明は、上記吸引部を、水と共に掘削ズリを吸い込む吸込管から構成すると共に、排出部を破砕された掘削ズリを圧送ポンプによって水と共に上方に排出する排出管から構成していることを特徴とする。
【００１４】
一方、請求子３に係る発明は、前面に回転自在に配設しているカッタヘッドを下方に向け且つ該カッタヘッドの背面側に湛水した状態で下方に向かってトンネルを掘削する掘削機における掘削ズリの排出機構であって、カッタヘッド背面側の掘削ズリを水と共に上方に吸い込む吸込管と、この吸込管を通じて吸い込んだ掘削ズリと水とを受入れ、且つ、受け入れた水をオーバフローによりカッタヘッドの背面側に戻すように構成しているタンクと、このタンクの下部内の掘削ズリを排出管を通じて水と共に上方に排出し、且つ、カッタヘッド背面側の水位が所定高さとなるように排出量を調整可能にした圧送ポンプとからなることを特徴としている。
【００１５】
また、請求項４に係る発明は、前面に回転自在に配設しているカッタヘッドを下方に向け且つ該カッタヘッドの背面側に湛水した状態で下方に向かってトンネルを掘削する掘削機における掘削ズリの排出機構であって、カッタヘッド背面側の掘削ズリを水と共に上方に吸い込む吸込管と、この吸込管を通じて吸い込んだ掘削ズリと水とを受入れ、且つ、受け入れた水をオーバフローによりカッタヘッドの背面側に戻すように構成しているタンクと、このタンクの下部内の掘削ズリを排出管を通じて水と共に上方に排出する圧送ポンプと、カッタヘッドの背後に設けられてカッタヘッドの背面側に湛水している水を汲み上げる汲み上げポンプとを備え、上記タンクからオーバフローによりカッタヘッド背面側へ戻る水量が上記吸込管による掘削ズリと水との吸い込み量より多くなるように上記圧送ポンプの排出量を設定しておき、カッタヘッド背面側の水位が所定高さを越えたときに上記汲み上げポンプを作動させるように構成している。
【００１６】
上記請求項３又は請求項４に記載の発明において、請求項５に係る発明は、上記タンクの下部に掘削ズリの破砕部を設け、破砕された掘削ズリを水と共に圧送ポンプにより上方に排出するように構成していることを特徴とする。
【００１７】
【作用】
掘削機の前面に設けているカッタヘッドを下向きにしてこのカッタヘッドを回転させながら下方に向かってトンネルを掘削していく。掘削されたズリは、カッタヘッドの背面側に取り込まれ、吸引部を構成している吸込管を通じてカッタヘッドの上方に設置したタンク内に投入、排出される。タンクの下部内には破砕部が設けられてあり、この破砕部によって大径の掘削ズリは小割り状に破砕されたのち、タンクの下端部に連通している排出管を通じてタンクからさらに上方に排出され、カプセル輸送等の輸送手段によって地上に排出される。
【００１８】
このように、まず、掘削ズリが詰まることなく排出可能な吸引方式によって所定高さに設置しているタンクにまで一旦搬入し、このタンクを中継所として該タンクの下部内で掘削ズリを破砕したのち、次いで、該タンクから排出管を通じて上方に排出するものであるから、掘削ズリは小割り状に破砕されているので、排出ポンプや排出管内が目詰まりすることなく掘削ズリの排出が可能となり、その上、該排出管の径を吸引部の上記吸込管の径よりも小さくすることができて長距離輸送が行えると共に配管設備の省スペース、小規模化を図ることができるものであり、さらに、掘削ズリは粒子間の隙間が少ない密な状態となって排土効率が向上するものである。
【００１９】
また、カッタヘッドの背面側に湛水しながら掘削する場合においては、上記吸引部の吸込管によってカッタヘッドの背面側に取り込まれている掘削ズリを水と共に吸引し、その上端部から掘削ズリを水と共に上記タンク内に投入して水を該タンクの上部からオーバフローさせる一方、掘削ズリをタンクの下部（底部）に向かって沈降させ、排出管を通じて一部の水と共に上方に搬出する。この際、オーバフローによってカッタヘッドの背面側の湛水部に給水する量は、吸込管を通じてタンク内に排出される掘削ズリと水との量から排出管を通じて排出される排泥量を引いた量であり、従って、この排泥量を変化させることによって上記湛水部の水位を簡単に調整することができる。
【００２０】
このような湛水部の水位の調整は、湛水部に水の汲み上げポンプを別途設けておくと共に、上記タンクからオーバフローによりカッタヘッド背面側へ戻る水量が上記吸込管による掘削ズリと水との吸い込み量より多くなるようにタンクから排出管を通じて排出される排出量を設定しておき、カッタヘッド背面側の水位が所定高さを越えたときに上記汲み上げポンプを作動させるように構成しておけば、湧水によって湛水部の水位が上昇しようとしても、汲み上げポンプの作動により湛水部の水を積極的に排出してその水位を掘削ズリを吸引するのに最適な水位に調整、維持することことができるものである。
【００２１】
また、タンク側からカッタヘッドの背面側に戻す水の一部は、上述したようにオーバフローによる戻し水であり、掘削ズリはタンク内に沈降するので、この戻し水には殆ど土粒子が含まれてなく、従って、排土効率の向上を図ることができる。
【００２２】
【発明の実施の形態】
次に、本発明の具体的な実施の形態を図面について説明すると、図１はトンネル掘削機の簡略縦断面図、図２は掘削ズリを排出する管路構成図であって、トンネル掘削機Ａはその中心部に設けている小径垂直筒部１の下端にカッタヘッド２を下向きにして回転自在に配設していると共に上記小径垂直筒部１の上端に該小径垂直筒部１よりも大径の円板形状の作業床３を一体に固着してあり、さらに、小径垂直筒部１内に縦長円筒形状のタンク４を配設してその上部を上記作業床３の中央部から上方に貫通状態で突出させてこの作業床３に一体に連結、支持させている。
【００２３】
上記タンク４はその上下端を天板４ａ（エア抜き孔４ｃが設けられている）と底板４ｂとで密閉状に閉塞されていると共に下端部内にコーンクラッシャからなる掘削ズリの破砕装置５を設置してあり、さらに、上記作業床３から上方に突出している該タンク４の上端部内に、上記カッタヘッド２の背面側に取り込まれた掘削ズリＢの吸引部を構成する吸込管６の上端開口部を臨ませていると共にこの吸込管６の下端開口部を上記カッタヘッド２の背面に形成している掘削ズリ貯留凹部７内に臨ませている。
【００２４】
なお、この吸込管６は、上記小径垂直筒部１内をタンク４の一側面に沿って上下方向に配設されていると共に、小径垂直筒部１の下端から下方に突出している該吸込管６の下端部はロータリージョイント６ａによって回転可能に形成されていてその下端吸込口の位置を上記掘削ズリ貯留凹部７の内底面上に沿って水平方向に移動できるように構成している。また、この吸込管６の上端部は上記作業床３の中央部からタンク４の上端部の一側壁面を貫通して該一側壁面部に支持された状態でその上端開口部をタンク４の上端部内に突出させている。
【００２５】
タンク４の上部内の中央部には、該タンク４の上部内を左右両側の通路部９ａ、９ｂに仕切っている縦仕切板８が固定されてあり、この縦仕切板８の下端部を掘削ズリ排出時においてタンク４内に滞留する水Ｃの水面下に没入させていると共に、上端面に上記吸込管６の上端開口部を支持してこの吸込管６の開口端をタンク４の他側方の通路部９ｂの上端開口部に臨ませている。
【００２６】
さらに、上記ロータリージョイント６ａの上側近傍部における該吸込管６の下部に、圧力水を供給する噴流管１０の下端ノズル部１０ａ  を上向きにして連通させてあり、このノズル部１０ａ  から吸込管６の下部に圧力水を上向き流入させて該吸込管６の下端部に吸引力を発生させ、その吸引力によって掘削ズリ貯留凹部７内の掘削ズリＢを貯留凹部７内に湛水している水の一部と共に吸込管６に吸引して圧力水の流れにより吸込管６内を上方に押し上げ、タンク４の上端部内に排出するように構成している。
【００２７】
噴流管１０はその上端部を図２に示すように、トンネル掘削機Ａ内に配設している上記タンク４から所定高さ上方におけるトンネルＴ内、或いはトンネル掘削機Ａ内に配設された固液分離装置１１に連結、連通させてあり、この噴流管１０中に設けている噴流ポンプ１２によって固液分離装置１１内の水槽（図示せず）から水を吸引して噴流管１０内に送り込み、上述したようにその下端ノズル部１０ａ  から吸込管６の下端部内に噴流させるように構成している。
【００２８】
また、上記タンク３内の下端部に設けている破砕装置５によって小割り状の岩片に破砕処理された破砕処理ズリＢ’を上記固液分離装置１１内に送り込む排出部１３を設けている。この排出部１３は、破砕装置５のズリ排出口の下方とタンク４の底板３ｂとの間の空間部によって形成されている破砕処理ズリ室１４に下端を連結、連通させ、且つ上端を上記固液分離装置１１に連結、連通させている排出管１３ａ  と、この排出管１３ａ  の下端部中に設けているインペラ式揚水ポンプからなる圧送ポンプ１３ｂ  とから構成している。
【００２９】
上記固液分離装置１１としては、例えばサイクロンと振動フルイとを組み合わせてなる装置が用いられ、排出管１３ａ  を通じてこの固液分離装置１１内に供給された破砕処理ズリＢ’と水との混合物は、固液分離装置１１によって破砕処理ズリＢ’と水とに分離され、破砕処理ズリＢ’は固液分離装置１１からカプセル輸送等の輸送手段によって地上に排出される一方、分離した水は該固液分離装置１１内に配設している水槽内を通じて上述したように噴流管１０に供給するようにしている。また、この水槽内には、トンネルＴ内を通じて別途配管している給水管１５により必要量の水を供給するように構成している。
【００３０】
さらに、トンネル掘削機Ａの上記小径垂直筒部１内における一側部にタンク４内から一部の水を掘削ズリ貯留凹部７側に戻す戻し管１６を上記吸込管６に並列させて配設してあり、この戻し管１６の上端部をタンク３の一側上部に水密状に貫通、支持させてタンク３の上部内の仕切板８によって仕切られている一側方の通路部９ａ側に連通させていると共に下端部を掘削ズリ貯留凹部７上に臨ませて、タンク３内に一定高さまで滞留した水を該戻し管１６内を通じてオーバフローさせ、貯留凹部７に戻すようにしている。
【００３１】
また、掘削ズリ貯留凹部７内に汲み上げポンプ１７を配設して貯留凹部７内の湛水Ｃ中に没入させてあり、この汲み上げポンプ１７の吐出口に排水管１８の下端を連通させて汲み上げポンプ１７の作動により貯留凹部７内に湛水している水の一部を排水管１８を通じて上方に排出するように構成していると共に、カッタヘッド２の背面上方に掘削ズリ貯留凹部７内の湛水の水位を計測する水位計１９を設置し、この水位計１９と上記排水部１３側の圧送ポンプ１３ｂ  、及び上記汲み上げポンプ１７とを機内等の適所に配設した制御盤２０に電気的に接続して、貯留凹部７内の水位が所定高さとなるようにこれらの圧送ポンプ１３ｂ  及び汲み上げポンプ１７の作動を制御するように構成している。
【００３２】
上記カッタヘッド２は、その回転中心部２１を小径の水平部分に形成されていて該回転中心部２１から外周端に向かって上方に傾斜した逆截頭円錐形状に形成されていると共に、下面に多数個のローラビット２２を突設してあり、さらに、周方向に所定間隔毎にズリ取込み開口部２３を設けていると共に、このズリ取込み開口部２３の回転方向に面している側端縁に、掘削ズリＢを機内側に向かって掻き上げ且つ掘削ズリ貯留凹部７の中央部に向かって掻き寄せるように傾斜した傾斜スクレーパ２４を固着している。
【００３３】
さらに、カッタヘッド２の外周端に、内径方向に向かって複数本のアーム部材２ａを突設してこれらのアーム部材２ａの内端を中央リング部材２ｂに一体に固着し、該リング部材２ｂをトンネル掘削機Ａの上記小径垂直筒部１の下端部外周面に円環状水平板２５ａ  を介して同心的に固着している短筒体２５ｂ  の下端部内周面に回転自在に支持させてあり、このリング部材２ｂの内周面に設けている円形ラック２６に、円環水平板２５ａ  上に設置している駆動用モータ２７の回転軸に固着したピニオン２８を噛合させてモータ２７の駆動によりカッタヘッド２を回転させるように構成している。
【００３４】
また、上記短筒体２５ｂ  の外周面に、周方向に所定間隔毎に下向きに傾斜した傾斜ジャッキ２９と上向きに傾斜した傾斜ジャッキ３０との内端部を上下方向に回動自在に連結、支持してあり、これらの傾斜ジャッキ２９、３０の外端部を周方向に複数分割しているグリッパ３１の内面に連結して該傾斜ジャッキ２９、３０を伸長させることにより、グリッパ３１を掘削壁面ｔに圧着させてトンネル掘削機Ａを支持させながら下方に推進させるように構成している。
【００３５】
このように構成したトンネル掘削機Ａによって下方に向かって垂直なトンネルＴを掘進すると共に掘削されたズリＢを上方に排出する方法について説明すると、トンネルＴを掘り下げていくには、上記傾斜ジャッキ２９、３０によってグリッパ３１を掘削壁面ｔに圧着させることにより、該掘削壁面ｔに推進反力をとると共にトンネル掘削機Ａの支持を行わせ、短筒体２５ｂ  から斜め上方に傾斜している傾斜ジャッキ３０を伸長させることにより、トンネル掘削機Ａを垂直下方に推進させながら、カッタヘッド２の回転によって切羽地盤を切り下げ掘削していく。なお、短筒体２５ｂ  から斜め下方に傾斜しているジャッキ２９は、掘削壁面ｔに対するグリッパ３１の下端部の圧着力を調整してトンネル掘削機Ａが必要以上に下動するのを阻止する突っ張り作用を行うものである。
【００３６】
掘削されたズリＢは、ズリ取込み開口部２３の側端縁に固着しているスクレーパ２４によってズリ取込み開口部２４を通じてカッタヘッド２の裏面側、即ち、上面側に掻き上げられると共に、カッタヘッド２の回転中心部２１に向かって掻き寄せられながらカッタヘッド２の回転中心部２１上のズリ貯留凹部７に寄せ集められる。
【００３７】
ズリ貯留凹部７内には一定高さまで水Ｃが湛水してあり、掘削ズリＢは水と共吸込管６に吸引される。即ち、噴流ポンプ１２の作動によって固液分離装置１１側から噴流管１０内に圧力水を供給し、該圧力水を噴流管１０の上向きに屈曲している下端ノズル部１０ａ  から上記吸込管６の下端部に上方に向かって流入させることによって上記吸込管６の下端部に吸引力を発生させ、この吸引力によってズリ貯留凹部７内に没入している吸込管６の開口下端から掘削ズリを水と共に吸込管６内に吸入するものである。
【００３８】
この時、吸込管６の吸引力によって湛水Ｃに該吸込管６に向かう流れが発生し、ズリ貯留凹部７が下向きの截頭円錐形状に形成されているのと相まって、掘削ズリＢが該吸込管６の吸込口に向かって円滑に流動して確実に排出することができ、その上、吸込管６の吸込管口をズリ貯留凹部７上に臨ませた状態でロータリージョイント６ａを介して回動させることにより、吸込口の位置を変化させてズリ貯留凹部７内で広範囲に亘る掘削ズリＢの吸引、排出が可能となるものである。
そして、吸込管６の下端部内を上方に向かって噴流するトノズル部１０ａ  からの圧力水によって吸込管６内の掘削ズリは水と共に上方に押し上げられて吸込管６の上端からタンク４の上端部内に排出される。
【００３９】
吸込管６によってタンク４内に供給される掘削ズリと水との量は、タンク４の下端部から排出管１３ａ  によって排出される掘削ズリと水との量よりも多く、従って、タンク４内には戻し管１６に達する高さまで水が滞留していてそれ以上の水は戻し管１６を通じて掘削ズリ貯留凹部７に還流する一方、吸込管６の上端開口部から排出された掘削ズリＢは、タンク４内に滞留している水中をタンク４の下端部に配設している破砕装置５に向かって沈降する。
【００４０】
この際、タンク３の上部内は縦仕切板８によって二つの通路部９ａ、９ｂに仕切られていて、一側方の通路部９ａ側に上記戻し管１６の上端が連通している一方、他側方の通路部９ｂ内に掘削ズリＢを投入するので、水中を沈降する掘削ズリＢや土粒子が戻し管１６側に浮動するのを縦仕切板８により阻止され、戻し管１６に殆ど土粒子等が混入していない水がオーバフローして掘削ズリ貯留凹部７側に戻されることになり、排土効率が向上する。
【００４１】
タンク３内の水中を沈降して破砕装置５に達した掘削ズリＢは、破砕装置５によって小割り状に破砕されて岩片となり、この破砕処理ズリＢ’は破砕装置５とタンク３の底板４ｂ間の破砕処理ズリ室１４内に一旦滞留したのち、排出部１３の圧送ポンプ１３ｂ  の作動によって排出管１３ａ  を通じて水と共に上方に設置している固液分離装置１１内に排出される。この際、掘削ズリＢは、破砕装置５によって細かく破砕されているので、上記吸込管６よりも小径の排出管を使用して管内が詰まることなく長距離輸送が可能となる。
【００４２】
上記固液分離装置１１内に排出された破砕処理ズリＢ’は水と分離され、この固液分離装置１１側で、例えばカプセル内に一定量、投入され、該固液分離装置１１から地上に達するまで配管されているカプセル輸送管を通じて排出される。一方、破砕処理ズリＢ’から分離した水は一旦水槽内に貯留され、上記噴流管１０を通じて吸込管６の下端部に噴流させて掘削ズリ貯留凹部７内の掘削ズリの吸引に使用するものであり、この際、噴流水には破砕処理ズリＢ’の土粒子が殆ど含まれていないから、噴流ポンプ１２が目詰まりしたり、流速が低下したりする虞れはない。
【００４３】
このように、トンネル掘削機Ａを下方に向かって掘進させながら掘削されたズリＢを貯留凹部７内に取込み、噴流管１０の下端ノズル１０ａ  からの噴流によって吸込管６に掘削ズリＢを水と共に吸引して上方のタンク４内に排出し、該タンク４からオーバフローする水を戻し管１６を通じて掘削ズリ貯留凹部７内に還流させる一方、タンク内に投入された掘削ズリＢをタンクの下端部内に配設している破砕装置５まで沈降させて該破砕装置５により小割り状の岩片に破砕し、この破砕処理ズリＢ’を圧送ポンプ１３ｂ  によって排水管１８を通じて上方の固液分離装置１１まで搬出し、この固液分離装置１１側からカプセル輸送やバケットコンベア等の等の輸送手段によって地上にまで排出する。
【００４４】
この際、例えば吸込管６内に供給される噴流水の量を１．４６ｍ３  ／分、圧力を８ｋｇｆ／ｃｍ２  とし、吸込管６によって水と共に吸込まれる掘削ズリＢの量を２．０１ｍ３  ／分とすると、この吸込管６からタンク４内に排出される量（掘削ズリＢ＋水の量）は３．４７ｍ３  ／分となり、タンク４の下端部から排出部の排出管１３ａ  を通じて排出される破砕処理ズリＢ’と水との量を１．４  ｍ３  ／分に設定すると、タンク４から掘削ズリ貯留凹部７にオーバーフローする水の量は、３．４７−１．４  ＝２．０７ｍ３  ／分であって、吸込管６によって吸込まれる上記量（２．０１ｍ３  ／分）に略等しい量となる。
【００４５】
タンク４から排出管１３ａ  を通じて排出される破砕処理ズリＢ’と水との量は、圧送ポンプ１３ｂ  の揚水量によって決定されるので、カッタヘット２の背面側の掘削ズリ貯留凹部７に湛水している水位を水位計１９によって検出してこの水位が常に一定高さとなるように上記圧送ポンプ１３ｂ  による揚水量を制御盤２０を介して制御するものである。
【００４６】
また、上記圧送ポンプ１３ｂ  による揚水量を一定量にして、吸込管６による吸込まれる量よりもオーバーフローする水の量が常に大きくなるように設定、即ち、水位が常時、上昇するように設定しておいてもよく、この場合は、掘削ズリ貯留凹部７に湛水している水位を水位計１９によって検出して、制御盤２０を介して汲み上げポンプ１７を作動させ、排水管１８を通じて固液分離装置１１又は地上側に排出して掘削ズリ貯留凹部７に湛水している水位を常に一定高さとなるように調整すればよい。
【００４７】
このように、タンク４からオーバフローによりカッタヘッド背面側へ戻る水量が上記吸込管６による掘削ズリと水との吸い込み量より多くなるように上記圧送ポンプ１３ｂ  の排出量を設定しておき、カッタヘッド背面側の水位が所定高さを越えたときに上記汲み上げポンプ１７を作動させるように構成しておけば、湧水のように外部からカッタヘッド４の背面側の掘削ズリ貯留凹部７内に多量の水が浸入しても、汲み上げポンプ１７の作動によって水位が一定高さとなるように容易に調整することができる。なお、以上の実施の形態においては、掘削ズリ貯留凹部７内に一定高さまで湛水した状態で下方に向かってトンネルを掘削しているが、湛水することなく掘削しながらその掘削ズリＢを吸込管６を通じてタンク側に排出し、該タンクの下端部内で破砕処理したのち、上方に排出するように構成しておいてもよい。
【００４８】
【発明の効果】
以上のように本発明の請求項１に係る掘削ズリの排出機構は、前面に回転自在に配設しているカッタヘッドを下方に向けてトンネルを掘削する掘削機における掘削ズリの排出機構であって、上記カッタヘッドの背面側の掘削ズリを上方に向かって吸い込む吸引部と、この吸引部を通じて吸い込んだ掘削ズリを受け入れると共にその下部に掘削ズリの破砕部を設けているタンクと、破砕部により破砕された掘削ズリを上方に排出する排出部とからなるので、カッタヘッドの背面側の掘削ズリを吸引方式によって上方に排出するものであるから、排出管路内を殆ど詰まらせることなく上方に設置したタンク内にまで容易に排出することができると共に、タンクの下部内には掘削ズリの破砕部を設けているので、タンク内に排出した上記掘削ズリを直ちに小割り状に破砕することができる。
【００４９】
このように細かく破砕された掘削ズリを排出管と排出ポンプからなる排出部を通じて上方に排出するものであるから、排出ポンプや排出管内を詰まらせることなく掘削ズリの排出が可能となり、その上、該排出管の径を吸引部の上記管路の径よりも小さくすることができて長距離輸送が行えると共に配管設備の省スペース、小規模化を図ることができるものであり、さらに、掘削ズリは粒子間の隙間が少ない密な状態となって排土効率が向上するものである。この際、カッタヘッドの背面側の掘削ズリ貯留凹部に湛水しておき、吸引部を構成している吸込管によって請求項２に記載したように掘削ズリを水と共に吸い込むと共に、上記タンクの下部内で破砕処理された掘削ズリを圧送ポンプを備えた排出管によって水と共に上方に排出するように構成しておくことにより、掘削ズリの排出が一層円滑に行うことができる。
【００５０】
また、請求項３に係る発明によれば、前面に回転自在に配設しているカッタヘッドを下方に向け且つ該カッタヘッドの背面側に湛水した状態で下方に向かってトンネルを掘削する掘削機における掘削ズリの排出機構であって、カッタヘッド背面側の掘削ズリを水と共に上方に吸い込む吸込管と、この吸込管を通じて吸い込んだ掘削ズリと水とを受入れ、且つ、受け入れた水をオーバフローによりカッタヘッドの背面側に戻すように構成しているタンクと、このタンクの下部内の掘削ズリを排出管を通じて水と共に上方に排出し、且つ、カッタヘッド背面側の水位が所定高さとなるように排出量を調整可能にした圧送ポンプとからなるので、吸込管によってタンク内に水と共に投入された掘削ズリをタンク内で水中を通じて沈降させるから、掘削ズリをタンク内で水と効果的に分離させることができ、従って、タンクの上部からオーバーフローさせてカッタヘッドの背面側に戻す水には殆ど土粒子等が混在してなく、排土効率が向上するものである。
【００５１】
その上、オーバフローによってカッタヘッドの背面側の湛水部に給水する水量は、吸込管を通じてタンク内に排出される掘削ズリと水との量から排出管を通じて排出される排泥量を引いた量であり、従って、この排泥量を変化させることによって上記湛水部の水位を簡単に調整することができる。
【００５２】
一方、請求項４に係る発明によれば、カッタヘッドの背面側に湛水している水を汲み上げる汲み上げポンプを別途設けておくと共に、上記タンクからオーバフローによりカッタヘッド背面側へ戻る水量が上記吸込管による掘削ズリと水との吸い込み量より多くなるようにタンクから排出管を通じて排出される排出量を設定しておき、カッタヘッド背面側の水位が所定高さを越えたときに上記汲み上げポンプを作動させるように構成しているので、湧水によって湛水部の水位が急激に上昇しても、上記汲み上げポンプの作動により湛水部の水を積極的に排出してその水位を掘削ズリを吸引するのに最適な水位に調整、維持することことができるものである。
【図面の簡単な説明】
【図１】本発明掘削ズリの排出機構を備えたトンネル掘削機の簡略縦断面図、
【図２】掘削ズリを排出するための管路構成図。
【符号の説明】
Ａ  トンネル掘削機
Ｂ  掘削ズリ
Ｂ’  破砕処理ズリ
２  カッタヘッド
４  タンク
５  破砕装置
６  吸込管
７  掘削ズリ貯留凹部
８  縦仕切壁
１０  噴流管
１１  固液分離装置
１２  噴流ポンプ
１３  排出部
１３ａ    排出管
１３ｂ    圧送ポンプ
１６  戻し管
１７  汲み上げポンプ
１８  排水管
１９  水位計
【図１】
2004169278.tif 000003
【図２】
2004169278.tif 000004